(57)【要約】【課題】サッシとシャッター装置とを備えた開口部装において、室外空間の使用が邪魔されることないとともに、開口部装置の外観を損なうことがなく、シャッター装置を電動式にすることができる開口部装置を提供する。【解決手段】枠体Ａと障子Ｂ，Ｃとを備えたサッシＳＡと、シャッター装置ＳＨとを備え、シャッター装置は、ガイドレールと、シャッターカーテン７３と、ガイドレールの上部に配置されたシャッターボックス７６内に設けられた巻き取り軸８１と、巻き取り軸を回転駆動する駆動ユニット９０とを備え、駆動ユニットは、電動モータと電池とスイッチ盤とが一体的に構成され、サッシの枠体Ａ内に設けられた電動モータユニット９１と、サッシの枠体内およびシャッターボックス内に設けられて、電動モータの回転力を巻き取り軸に伝達する動力伝達手段９２とを備えている。【選択図】      図１
2005030014.tif 000002
【特許請求の範囲】
【請求項１】
枠体とこの枠体に開閉可能に設けられた障子とを備えたサッシと、このサッシの室外側に設けられたシャッター装置とを備え、
前記シャッター装置は、左右一対のガイドレールと、これらのガイドレールに案内されて昇降移動可能なシャッターカーテンと、前記ガイドレールの上部に配置されたシャッターボックス内に設けられて、前記シャッターカーテンを巻き取る巻き取り部材と、この巻き取り部材を回転駆動する駆動ユニットとを備え、
前記駆動ユニットは、前記サッシの前記枠体内に設けられた電動モータと、前記サッシの前記枠体内および前記シャッターボックス内に設けられて、前記電動モータの回転力を前記巻き取り部材に伝達する動力伝達手段とを備えていることを特徴とする開口部装置。
【請求項２】
前記サッシは、前記障子が左右方向に横移動して開閉するものであり、前記電動モータは、前記サッシの前記枠体の縦枠における前記障子の召し合わせ縦框に対向する部分に設けられていることを特徴とする請求項１に記載の開口部装置。
【請求項３】
前記電動モータに電池とスイッチ部とが一体的に設けられて電動モータユニットとされていることを特徴とする請求項１または請求項２に記載の開口部装置。
【請求項４】
前記電動モータユニットは、前記サッシの前記枠体に着脱自在に設けられていることを特徴とする請求項３に記載の開口部装置。
【請求項５】
前記動力伝達手段には、フレキシブルシャフトが用いられていることを特徴とする請求項１ないし請求項４のいずれかに記載の開口部装置。
【発明の詳細な説明】
【０００１】
【発明の属する技術分野】
本発明は、サッシとシャッター装置とを備えた開口部装置に関する。
【０００２】
【従来の技術】
従来、サッシとシャッター装置とを備えた開口部装置として、シャッター装置を電動式にするために、モータとこのモータの回転力をシャッターカーテンに伝達する動力伝達機構と、少なくとも動力伝達機構を覆い、かつ左右のガイドレール間でシャッターカーテンに沿って垂直方向に据え付けられた柱状のハウジングとを備えた電動開閉機構が設けられているものが提案されている（例えば、特許文献１参照）。
【０００３】
【特許文献１】
特開平９−９６１７９号公報
【０００４】
【発明が解決しようとする課題】
しかしながら、このような従来の開口部装置にあっては、シャッターカーテンの室外側に、少なくとも動力伝達機構を覆う柱状のハウジングが設けられているので、ハウジングが必然的にシャッターカーテンよりも室外側に上下方向に連続して突出するものとなるため、このハウジングが障害物となってこの部分の室外空間の使用が制限されるとともに、開口部装置の外観を損なうという問題がある。
【０００５】
本発明は、上記事情に鑑みて為されたもので、サッシとシャッター装置とを備えた開口部装において、室外空間の使用が邪魔されることないとともに、開口部装置の外観を損なうことがなく、シャッター装置を電動式にすることができる開口部装置を提供することを目的とする。
【０００６】
【課題を解決するための手段】
上記目的を達成するために、請求項１に記載の開口部装置は、枠体とこの枠体に開閉可能に設けられた障子とを備えたサッシと、このサッシの室外側に設けられたシャッター装置とを備え、
前記シャッター装置は、左右一対のガイドレールと、これらのガイドレールに案内されて昇降移動可能なシャッターカーテンと、前記ガイドレールの上部に配置されたシャッターボックス内に設けられて、前記シャッターカーテンを巻き取る巻き取り部材と、この巻き取り部材を回転駆動する駆動ユニットとを備え、
前記駆動ユニットは、前記サッシの前記枠体内に設けられた電動モータと、前記サッシの前記枠体内および前記シャッターボックス内に設けられて、前記電動モータの回転力を前記巻き取り部材に伝達する動力伝達手段とを備えていることを特徴とする。
【０００７】
請求項２に記載の開口部装置は、請求項１に記載の発明において、前記サッシは、前記障子が左右方向に横移動して開閉するものであり、前記電動モータは、前記サッシの前記枠体の縦枠における前記障子の召し合わせ縦框に対向する部分に設けられていることを特徴とする。
請求項３に記載の開口部装置は、請求項１または請求項２に記載の発明において、前記電動モータに電池とスイッチ部とが一体的に設けられて電動モータユニットとされていることを特徴とする。
【０００８】
請求項４に記載の開口部装置は、請求項３に記載の発明において、前記電動モータユニットは、前記サッシの前記枠体に着脱自在に設けられていることを特徴とする。
【０００９】
請求項５に記載の開口部装置は、請求項１ないし請求項４のいずれかに記載の発明において、前記動力伝達手段には、フレキシブルシャフトが用いられていることを特徴とする。
【００１０】
【発明の実施の形態】
以下、本発明の実施の形態を図面を参照して説明する。
図１および図２は、本発明の実施の形態に係る開口部装置を示す図であって、図１は縦断面図、図２は横断面図である。
本実施の形態の開口部装置は、シャッターサッシと呼ばれるもので、サッシの枠体とシャッター装置のガイドレール等とが一体的に形成されている。サッシＳＡは、引違いサッシであって、枠体Ａと、この枠体Ａ内に左右方向に移動可能に収納された外障子（障子）Ｂ、内障子（障子）Ｃおよび網戸Ｄとを備えている。
【００１１】
枠体Ａは、上枠２１、下枠２２およびアルミニウム合金製の押出形材からなる左右の縦枠２３、２４により方形に組み立てられて構成されている。上枠２１および下枠２２はそれぞれ、アルミニウム合金製押出形材からなる室外側枠材２１ａ、２２ａおよび室内側枠材２１ｂ、２２ｂと、これらの間にそれぞれかしめにより固定されて介在された硬質ゴムあるいは合成樹脂等からなるブリッジ材２１ｃ、２２ｃとにより構成されている。上枠２１、下枠２２および縦枠２３、２４の室内側にはそれぞれ、合成樹脂製アングル２６、２７、２８、２９が設けられて、枠体Ａの断熱性が高められている。
【００１２】
外障子Ｂは、アルミニウム合金製の押出形材からなる上框３１、下框３２、戸先側縦框３３および召し合わせ縦框３４と、これらの上框３１、下框３２および戸先側縦框３３の室内側にそれぞれ配設された合成樹脂製枠部材３６、３７、３８とにより方形の框組体４０が組み立てられ、この框組体４０に複層ガラス４１が組み込まれて構成されている。このように、この外障子Ｂは、室内側に合成樹脂製枠部材３６、３７、３８を配置して高性能断熱を実現するとともに、室内側のインテリア性を高めた障子とされている。
【００１３】
内障子Ｃは、外障子Ｂと同様に構成されている。すなわち、アルミニウム合金製の押出形材からなる上框５１、下框５２、戸先側縦框５３および召し合わせ縦框５４と、これらの各框の室内側にそれぞれ配設された合成樹脂製枠部材５６、５７、５８、５９とにより方形の框組体６０が組み立てられ、この框組体６０に複層ガラス４１が組み込まれている。このように、この内障子Ｃも、室内側に合成樹脂製枠部材５６、５７、５８、５９を配置して高性能断熱を実現するとともに、室内側のインテリア性を高めた障子とされている。
【００１４】
シャッター装置ＳＨは、サッシＳＡの室外側に設けられている。すなわち、サッシＳＡの枠体Ａの左右の縦枠２３、２４の室外側にはそれぞれ、アルミニウム合金製の押出形材からなる左右のガイドレール７１、７１が、ガイド溝７２、７２を互いに対向させて取り付けられている。両ガイド溝７２、７２内にはそれぞれ、シャッターカーテン７３の左右の側端部が挿入されている。シャッターカーテン７３は、複数個の細長い方形板状のスラット７４が上下方向に連設されて構成されている。シャッターカーテン７３の下端部材７５は、サッシＳＡの枠体Ａの下枠２２の室外側枠材２２ａの室外側に延出された延出部２２ｅに当接される。
【００１５】
ガイドレール７１、７１およびサッシＳＡの枠体Ａの下枠２１の室外側枠材２１ａの上部には、シャッターボックス７６が設置されている。このシャッターボックス７６内には、シャッターカーテン７３を巻き取る巻き取り手段８０が設けられている。この巻き取り手段８０は、図３に示すように、シャッターボックス７６の両側板７６ａ、７６ａに回転自在に支持された巻き取り軸（巻き取り部材）８１と、この巻き取り軸８１に、軸方向に間隔をおいて固定された一対の円板８２、８２と、巻き取り軸８１の外側に配置されて、一端部を固定側である側板７６ａに固定されているとともに、他端部を可動側である円板８２または巻き取り軸８１に固定されたコイルスプリング（巻き取り補助部材）８３とを備えている。巻き取り軸８１と共に回転する円板８２、８２には、シャッターカーテン７３の一端部（上端部）が固定されている。また、コイルスプリング８３は、シャッターカーテン７３が繰り出されて、シャッターカーテン７３が下降する（閉まる）のに伴って、自由状態から弾性エネルギを蓄えた状態になり、そして巻き取り軸８１がシャッターカーテン７３を巻き取る時に、自由状態に復元する力で巻き取り軸８１が回転するのを助けて、巻き取り動作を補助するようになっている。
【００１６】
巻き取り軸８１は、駆動ユニット９０により回転駆動される。この駆動ユニット９０は、電動モータユニット９１と、この電動モータ９１の回転を巻き取り軸８１に伝達する動力伝達手段９２とを備えている。
電動モータユニット９１には、電動モータ９３と、この電動モータ９３に電気を供給する電源である充電式の電池９４と、スイッチ盤（スイッチ部）９５とが一体的に設けられている。スイッチ盤９５のスイッチを操作することにより、電動モータ９３の正回転、逆回転および停止ができるようになっている。電動モータユニット９１は、このユニット状態で取り外して、電池９４に充電可能とされている。
【００１７】
動力伝達手段９２は、第１減速部９６と、第２減速部９７と、第１減速部９６から第２減速部に動力を伝達する可撓性のフレキシブルシャフト９８とを備えている。第１減速部９６および第２減速部９７はともに、ウォームとウォームホイールが用いられている。すなわち、第１減速部９６は、電動モータユニット９１の電動モータ９３の出力軸が嵌合され、この出力軸により回転駆動されるウォームホイール１０１と、このウォームホイール１０１に歯合されるとともに、フレキシブルシャフト９８の一端部が内側に嵌合されるウォーム１０２とを備えている。また、第２減速部９７は、フレキシブルシャフト９８の他端部が内側に嵌合されるウォーム１０３と、このウォーム１０３に歯合されるとともに、巻き取り軸８１にスプライン嵌合されて、この巻き取り軸８１を回転駆動するウォームホイール１０４とを備えている。
【００１８】
電動モータユニット９１および動力伝達手段９２の第１減速部９６は、図１、図２および図４に示すように、枠体Ａの縦枠２３における内障子Ｃの召し合わせ縦框５４に対向する部分の所定高さ位置に、合成樹脂製アングル２８を介して、ビス等の固定具により取り付けられている。したがって、これらの電動モータユニット９１および第１減速部９６は、内障子Ｃが開けられた時に、内障子Ｃの召し合わせ縦框５４と縦枠２３との間に、合成樹脂製アングル２８および合成樹脂製枠部材５９をそれぞれ介して位置される。
第１減速部９６と第２減速部９７とを連結するフレキシブルシャフト９８は、第１減速部９６から枠体Ａの縦枠２３の内側面と合成樹脂製アングル２８とにより形成された縦方向に延びる筒状の空間Ｋ１内を上方に延び、さらに上枠２１の貫通孔Ｋ２を挿通して、第２減速部９７に達している。フレキシブルシャフト９８の各屈曲部は、電力伝達のロスを生じないように、急激に曲げられていないことが好ましい。
【００１９】
このように構成された開口部装置においては、電動モータユニット９１のスイッチ盤９５の巻き取り用（シャッター開用）のスイッチを操作することにより、電動モータ９３を正回転させる。そうすると、第１減速部９６、フレキシブルシャフト９８および第２減速部９７の動力伝達手段９２により巻き取り軸８１が回転駆動される。この巻き取り軸８１の回転により、一対の円板８２、８２にシャッターカーテン７３が巻き取られていき、これによりシャッターカーテン７３が上昇して、シャッターが開く状態になる。
一方、スイッチ盤９５の繰り出し用（シャッター閉用）のスイッチを操作することにより、電動モータ９３を逆回転させる。そうすると、第１減速部９６、フレキシブルシャフト９８および第２減速部９７の動力伝達手段９２により巻き取り軸８１が逆方向に回転駆動される。この巻き取り軸８１の逆回転により、一対の円板８２、８２からシャッターカーテン７３が繰り出されていき、これによりシャッターカーテン７３が下降して、シャッターが閉状態になる。
スイッチ盤９５の停止用のスイッチを操作することにより、シャッターカーテン７３の巻き取りまたは繰り出しを停止させて、シャッターを所望の開度の状態にすることができる。
【００２０】
この開口部装置にあっては、巻き取り軸８１を回転駆動する駆動ユニット９０を、サッシＳＡの枠体Ａ内に設けるとともに、電動モータ９３の回転力をシャッターボックス７６内の巻き取り軸８１に伝達する動力伝達手段９２を、サッシＳＡの枠体Ａ内およびシャッターボックス７６内に設けたので、シャッター装置ＳＨを電動式にするためのこれらの部材を室外に突出させずに済むため、室外空間の使用を邪魔されずに済むとともに、開口部装置の外観を損なうことがなく、シャッター装置ＳＨを電動式にすることができる。また、シャッター装置ＳＨを電動式にするために、躯体側に穴を開けたりせずに済むので、手動式のシャッター装置を備えた開口部装置の場合と大きな差がなく、電動式のシャッター装置を備えた開口部装置を施工することができる。
【００２１】
また、サッシＳＡが引違いサッシであり、電動モータユニット９１をサッシＳＡの枠体Ａの縦枠２３における内障子Ｃの召し合わせ縦框５４に対向する部分の適当な高さの位置に設けたので、電動モータユニット９１をサッシの縦枠と障子の召し合わせ縦框との間の空間に収納することができるため、サッシＳＡの構造を通常のサッシと同等にすることができ、サッシＳＡの製造コストを抑制することができる。
【００２２】
また、電動モータ９３と電池９４とスイッチ盤９５とを一体的に設け電動モータユニット９１として構成したので、配線等の電気工事がいらないため、電気工事の資格者を要することなく、開口部装置の施工を行うことができる。なお、充電式の電池としたので、この電池部分を着脱自在の電池ユニットとして構成し、この電池ユニットを取り外して、充電することができるようにしてもよい。
【００２３】
また、電動モータユニット９１をサッシＳＡの枠体Ａに着脱自在に設けたので、電動モータユニット９１を取り外して、巻き取り手段を手動により回転させるハンドル等の手動回転具を別途用意するようにして、手動式のシャッター装置にもすることができる。したがって、状況に応じて、電動式あるいは手動式のシャッター装置として使用することができる。
【００２４】
なお、上記実施の形態では、巻き取り部材として巻き取り軸８１を用いたが、これに代えて、巻き取りドラム等を用いることもできる。
【００２５】
また、上記実施の形態では、電動モータ９３と電池９４とスイッチ盤９５とを一体的に設け電動モータユニット９１として構成したが、電池９４およびスイッチ盤（スイッチ部）を別体として構成してもよい。さらには、電動モータ９３の電源を電池ではなく、コードを用いてコンセント等からとるようにしてもよい。
【００２６】
また、上記実施の形態では、動力伝達手段９２として、第１減速部９６と第２減速部９７とフレキシブルシャフト９８とを備えたものを用いたが、これに代ええて種々の動力伝達手段を用いることができる。例えば、電動モータに減速機構付き電動モータを用いて、第１減速部９６および／または第２減速部９７を省略したりすることもできる。この場合、例えば、巻き取り軸８１とフレキシブルシャフト９８との結合は、フレキシブルシャフト９８の端部を巻き取り軸８１に直接またはアダプタ等を用いて嵌合して一体的に回転するようにしてもよい。また、フレキシブルシャフト９８の代わりにユニバーサルジョイント等を用いることもできる。
【００２７】
また、上記実施の形態では、外障子Ｂおよび内障子Ｃが開閉する引違いサッシとしたが、本発明のサッシとして、片引きサッシ等の他のサッシを用いることもができる。
【００２８】
また、上記実施の形態では、サッシの枠とシャッター装置の枠が一体的に形成されている、いわゆるシャッターサッシについて説明したが、サッシとは別に単体のシャッター装置が設けられている開口部装置にも本発明を適用することができる。
【００２９】
【発明の効果】
以上説明したように、請求項１ないし請求項５のいずれかに記載の開口部装置によれば、巻き取り部材を回転駆動する駆動ユニットの電動モータがサッシの枠体内に設けられているとともに、電動モータの回転力をシャッターボックス内の巻き取り部材に伝達する動力伝達手段がサッシの枠体内およびシャッターボックス内に設けられているので、シャッター装置を電動式にするためのこれらの部材が室外に突出することがない。したがって、サッシとシャッター装置とを備えた開口部装において、室外空間の使用が邪魔されることないとともに、開口部装置の外観を損なうことがなく、シャッター装置を電動式にすることができる。
さらに、シャッター装置を電動式にするために、躯体側に穴を開けたりすることがないので、手動式のシャッター装置を備えた開口部装置と大差なく、電動式のシャッター装置を備えた開口部装置を施工することができる。
【００３０】
また、請求項２ないし請求項５のいずれかに記載の開口部装置によれば、サッシは障子が左右方向に横移動して開閉するものであり、電動モータはサッシの枠体の縦枠における障子の召し合わせ縦框に対向する部分に設けられているので、電動モータをサッシの縦枠と障子の召し合わせ縦框との間の空間に収納することができるため、サッシの構造を通常のサッシと同等にすることができ、サッシの製造コストを抑えることができる。
【００３１】
また、請求項３ないし請求項５のいずれかに記載の開口部装置によれば、電動モータに電池とスイッチ部とが一体的に設けられて電動モータユニットとして構成されているので、配線等の電気工事がいらないため、電気工事の資格者を要することなく、開口部装置の施工を行うことができる。
【００３２】
また、請求項４または請求項５に記載の開口部装置によれば、電動モータユニットがサッシの枠体に着脱自在に設けられているので、電動モータユニットを取り外して、巻き取り手段を手動により回転させるハンドル等の手動回転具を別途用意するようにすれば、手動式のシャッター装置にもすることができる。
【００３３】
また、請求項５に記載の開口部装置によれば、フレキシブルシャフトが用いられているので、サッシ内およびシャッターボックス内の隙間を通してこのフレキシブルシャフトを設置することができる。
【図面の簡単な説明】
【図１】本発明の実施の形態に係る開口部装置を示す図であって、縦断面図である。
【図２】同、横断面図である。
【図３】巻き取り手段および動力伝達手段を示す分解斜視図である。
【図４】電動モータユニットおよびフレキシブルシャフトの配置を示す図であって、室外側から見た概略斜視図である。
【符号の説明】
ＳＡ    サッシ
Ａ    枠体
Ｂ    外障子（障子）
Ｃ    内障子（障子）
２３    縦枠
５４    召し合わせ縦框
ＳＨ    シャッター装置
７１    ガイドレール
７３    シャッターカーテン
７６    シャッターボックス
８１    巻き取り軸（巻き取り部材）
９０    駆動ユニット
９１    電動モータユニット
９２    動力伝達手段
９３    電動モータ
９４    電池
９５    スイッチ盤（スイッチ部）
９８    フレキシブルシャフト
【図１】
2005030014.tif 000003
【図２】
2005030014.tif 000004
【図３】
2005030014.tif 000005
【図４】
2005030014.tif 000006